(57)【要約】【課題】遊技台のレバースイッチの不正な操作を防止する。【解決手段】遊技台に設けられ遊技者により操作されると共に操作に応じた操作信号を出力する出力部を有するスイッチの操作信号を送出するコネクタを挿抜する端子１５が挿入された状態で抜き出せないように被覆する被覆カバー３１を設け、被覆カバー３１を、挿通部３１ａが固定用凸部１４の孔部１４ａに挿通された状態で、個別に識別可能なIDタグ４１を備えたベルト状の固定部４２の一方の端部を小開口部３１ａに挿通して、挿通後は開放不能な留め具４３により本体に固定する。本発明は、レバースイッチに適用することができる。【選択図】図４
2008246096.tif 000002
【特許請求の範囲】
【請求項１】
遊技台に設けられ遊技者により操作されると共に操作に応じた操作信号を出力する出力部を有するスイッチと、
前記スイッチの操作信号を送出するコネクタを挿抜可能な端子と、
前記端子に挿入された状態の前記コネクタを抜き出せないように被覆する被覆部と、
前記被覆部を前記スイッチの本体に固定する固定部と
を備えるスイッチ装置。
【請求項２】
前記固定部を識別可能な識別部をさらに備える
請求項１に記載のスイッチ装置。
【請求項３】
前記スイッチは、
前記スイッチの本体に前記被覆部を固定する孔部を有する固定用凸部を備え、
前記被覆部は、
略中央部に開口部を有する前記固定用凸部の前記孔部に挿通させる挿通部を備え、
前記固定部は、
前記開口部の幅よりも細いベルト状のものであり、前記固定用凸部の前記孔部に挿通されている状態で前記挿通部の貫通部分の開口部に挿通することにより前記被覆部を前記スイッチの本体に固定する
請求項１または２に記載のスイッチ装置。
【請求項４】
前記被覆部は、
前記スイッチの本体の側面部と略同径の側面帯部と、
前記側面帯部の一部に、前記端子に接続された前記コネクタを被覆し、前記スイッチの本体の底面部を跨ぎ、前記スイッチの本体の底面部の端部に前記被覆部を固定するための孔部を有する底面帯部と、
前記側面帯部の他の一部に、前記底面帯部の前記孔部に挿通し、略中央部に開口部を有する挿通部とを備え、
前記固定部は、
前記開口部の幅よりも細いベルト状のものであり、前記底面帯部の前記孔部に挿通されている状態で前記挿通部の貫通部分の開口部に挿通することにより前記被覆部を前記スイッチの本体に固定する
請求項１または２に記載のスイッチ装置。
【請求項５】
前記スイッチは、
前記スイッチの本体の底面部に設けられ前記被覆部を挿通し、挿通する端部に孔部を有する挿通部と、
前記被覆部を係合する係合部とを備え、
前記被覆部は、
前記係合部に係合する係合爪と、
前記挿通部を挿通する孔部とを備え、
前記固定部は、
前記挿通部の孔部よりも細いベルト状のものであり、前記被覆部の孔部に挿通され、貫通している前記挿通部の孔部に挿通することにより前記被覆部を前記スイッチの本体に固定する
請求項１または２に記載のスイッチ装置。
【請求項６】
前記固定部は、
環状に固定されることにより、自らを不可逆な状態に切断しない限り、前記被覆部が前記スイッチの本体に固定された状態から開放できないように前記被覆部を前記スイッチの本体に固定する
請求項１または２に記載のスイッチ装置。
【発明の詳細な説明】
【技術分野】
【０００１】
本発明は、スイッチ装置に関し、特に、パチスロ機に設けられたレバースイッチによる不正を防止できるようにしたスイッチ装置に関する。
【背景技術】
【０００２】
従来から遊技台としてスロットマシンが広く普及している。
【０００３】
スロットマシンは、一般にパチスロ機として広く普及しており、ゲームごとにメダルを投入して、操作スイッチ（レバースイッチ）の操作軸の操作頭部が操作されると（レバースイッチのレバー（操作部）が操作されると）、回動体からなる３個のリールが回転する。そして、その回転している各リールに対応するボタンが押下されることにより全てのリールが停止したときに、各リールに描かれている図柄が所定の方向に並んで揃うと（いわゆる、役に当たると）、投入したメダルに応じたメダルが払い出されるというものである（特許文献１参照）。
【０００４】
【特許文献１】特開２００３−３０５１５３号公報
【発明の開示】
【発明が解決しようとする課題】
【０００５】
ところで、この操作スイッチ（レバースイッチ）は、ゲームごとに必ず操作しなければ、ゲームが開始されない。また、特許文献１で示されるようなレバースイッチの場合、レバースイッチに接続されたコネクタ部は開放状態であるので、接続されたコネクタを容易に挿抜することができる。
【０００６】
このため、レバースイッチに接続されたコネクタを一時的に引き抜いて外し、不正機器を接続してゲーム数のカウント信号を不正に入力することで、不正にゲーム数を電気的に増した状態とし、遊技者に役の当たりを引きやすくするといった操作が可能となる。
【０００７】
また、不正を行った後、引き抜いたコネクタを再び挿入すれば、レバースイッチに接続されたコネクタが引き抜かれたという痕跡が残らないことから、仮に上記のような不正が行なわれたとしても不正が行われた事実を発見することが非常に困難である。
【０００８】
本発明はこのような状況に鑑みてなされたものであり、レバースイッチに接続されたコネクタを端子から抜き出し難い構造にすると共に、コネクタの抜き出しを不正に行った場合は、その痕跡を残す構造とすることによりレバースイッチのコネクタの抜き出しによる不正を防止できるようにするものである。
【課題を解決するための手段】
【０００９】
本発明の一側面のスイッチ装置は、遊技台に設けられ遊技者により操作されると共に操作に応じた操作信号を出力する出力部を有するスイッチと、前記スイッチの操作信号を送出するコネクタを挿抜可能な端子と、前記端子に挿入された状態の前記コネクタを抜き出せないように被覆する被覆部と、前記被覆部を前記スイッチの本体に固定する固定部とを備える。
【００１０】
また、前記固定部を識別可能な識別部をさらに設けるようにさせることができる。
【００１１】
前記スイッチには、前記スイッチの本体に前記被覆部を固定する孔部を有する固定用凸部を設けるようにさせることができ、前記被覆部には、略中央部に開口部を有する前記固定用凸部の前記孔部に挿通させる挿通部を設けるようにさせることができ、前記固定部は、前記開口部の幅よりも細いベルト状のものとすることができ、前記固定用凸部の前記孔部に挿通されている状態で前記挿通部の貫通部分の開口部に挿通することにより前記被覆部を前記スイッチの本体に固定させるようにすることができる。
【００１２】
前記被覆部には、前記スイッチの本体の側面部と略同径の側面帯部と、前記側面帯部の一部に、前記端子に接続された前記コネクタを被覆し、前記スイッチの本体の底面部を跨ぎ、前記スイッチの本体の底面部の端部に前記被覆部を固定するための孔部を有する底面帯部と、前記側面帯部の他の一部に、前記底面帯部の前記孔部に挿通し、略中央部に開口部を有する挿通部とを設けるようにさせることができ、前記固定部は、前記開口部の幅よりも細いベルト状のものとすることができ、前記底面帯部の前記孔部に挿通されている前記挿通部の貫通部分の開口部に挿通することにより前記被覆部を前記スイッチの本体に固定させるようにすることができる。
【００１３】
前記スイッチには、前記スイッチの本体の底面部に設けられ前記被覆部を挿通し、挿通する端部に孔部を有する挿通部と、前記被覆部を係合する係合部とを設けるようにさせることができ、前記被覆部には、前記係合部に係合する係合爪と、前記挿通部を挿通する孔部とを設けるようにさせることができ、前記固定部には、前記挿通部の孔部よりも細いベルト状のものとすることができ、前記被覆部の孔部に挿通され、貫通している前記挿通部の孔部に挿通することにより前記被覆部を前記スイッチの本体に固定させるようにすることができる。
【００１４】
前記固定部には、環状に固定されることにより、自らを不可逆な状態に切断しない限り、前記被覆部が前記スイッチの本体に固定された状態から開放できないように前記被覆部を前記スイッチの本体に固定させるようにすることができる。
【００１５】
本発明の一側面のスイッチ装置においては、スイッチにより遊技台に設けられ遊技者により操作されると共に操作に応じた操作信号が出力され、前記端子により前記スイッチの操作信号を外部へ出力するコネクタが挿抜され、前記被覆部により前記端子に挿入された状態の前記コネクタが抜き出せないように被覆され、前記固定部により前記被覆部が前記スイッチの本体に固定される。
【００１６】
本発明の一側面のスイッチ装置における、遊技台に設けられ遊技者により操作されると共に操作に応じた操作信号を出力する出力部を有するスイッチとは、例えば、レバースイッチであり、前記スイッチの操作信号を送出するコネクタを挿抜可能な端子とは、例えば、端子であり、前記端子に挿入された状態の前記コネクタを抜き出せないように被覆する被覆部とは、例えば、被覆カバーであり、前記被覆部を前記スイッチの本体に固定する固定部とは、例えば、固定部である。
【００１７】
すなわち、被覆カバーを端子に挿入されたコネクタを抜き出せない状態で被覆し、IDタグを備えた固定部によりレバースイッチに固定させることにより、被覆カバーをレバースイッチ本体から外なさない限り、抜き出すことができない構成としている。また、被覆カバーは、IDタグを備えたベルト状の固定部を環状に結びつけるによりレバースイッチ本体に固定されているので、固定部を破壊しない限り被覆カバーを外すことができない。
【００１８】
結果として、被覆カバーによりコネクタを外すことができないので、不正を防止することが可能となる。
【００１９】
また、前記固定部を識別可能な識別部として、例えば、IDタグをさらに設けるようにすることができる。このため、仮に、固定部を破壊することにより被覆カバーを外し不正が実行できたとしても、固定部はIDタグにより個別に識別することができるので、登録されているIDタグ以外のIDタグが付された固定部により被覆カバーが固定されていれば、後に不正が行われた痕跡が残されることになり、結果として、不正を確認することが可能となり、やはり、不正を抑制することが可能となる。
【発明の効果】
【００２０】
本発明によれば、遊技台のレバースイッチによる不正を防止することが可能となる。
【発明を実施するための最良の形態】
【００２１】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
すなわち、本発明の一側面のスイッチ装置は、遊技台に設けられ遊技者により操作されると共に操作に応じた操作信号を出力する出力部（例えば、図５の出力部１６、図１０の出力部１１５、または図１３の出力部２１７を有するスイッチ（例えば、図１乃至５のレバースイッチ１、図６乃至１０のレバースイッチ１０１、または図１１乃至図１３のレバースイッチ２０１）と、前記スイッチの操作信号を外部へ出力するコネクタを挿抜可能な端子（例えば、図４の端子１５、図８の端子１１４、または図１２の端子２１６）と、前記端子に挿入された状態の前記コネクタを抜き出せないように被覆する被覆部（例えば、図１乃至５の被覆カバー３１、図６乃至１０の被覆カバー１３１、または図１１乃至図１３の被覆カバー２３１）と、前記被覆部を前記スイッチの本体に固定する固定部（例えば、図１乃至５の固定部４２、図６乃至１０の固定部１４２、または図１１乃至図１３の固定部２４２）とを備える。
【００２３】
また、前記固定部を識別可能な識別部（例えば、図１乃至５のIDタグ４１、図６乃至１０のIDタグ１４１、または図１１乃至図１３のIDタグ２４１）をさらに設けるようにさせることができる。
【００２４】
前記スイッチには、前記スイッチの本体に前記被覆部（例えば、図１乃至５の被覆カバー３１）を固定する孔部（例えば、図１乃至５の孔部１４ａ）を有する固定用凸部（例えば、図１乃至５の固定用凸部１４）を設けるようにさせることができ、前記被覆部には、略中央部に開口部（例えば、図１乃至５の小開口部３１ｂ）を有する前記固定用凸部の前記孔部に挿通させる挿通部（例えば、図１乃至５の挿通部３１ａ）を設けるようにさせることができ、前記固定部（例えば、図１乃至５の固定部４２）は、前記開口部の幅よりも細いベルト状のものとすることができ、前記固定用凸部の前記孔部に挿通されている状態で前記挿通部の貫通部分の開口部に挿通することにより前記被覆部を前記スイッチの本体に固定させるようにすることができる。
【００２５】
前記被覆部（例えば、図６乃至１０の被覆カバー１３１）には、前記スイッチの本体の側面部と略同径の側面帯部（例えば、図６乃至１０の側面帯部１３１ｈ）と、前記側面帯部の一部に、前記端子に接続された前記コネクタを被覆し、前記スイッチの本体の底面部を跨ぎ、前記スイッチの本体の底面部の端部に前記被覆部を固定するための孔部（例えば、図６乃至１０の孔部１３１ｆ）を有する底面帯部（例えば、図６乃至１０の底面帯部１３１ｇ）と、前記側面帯部の他の一部に、前記底面帯部の前記孔部に挿通し、略中央部に開口部（例えば、図６乃至１０の小開口部１３１ｂ）を有する挿通部（例えば、図６乃至１０の挿通部１３１ａ）とを設けるようにさせることができ、前記固定部（例えば、図６乃至１０の固定部１４２）は、前記開口部の幅よりも細いベルト状のものとすることができ、前記底面帯部の前記孔部に挿通されている状態で前記挿通部の貫通部分の開口部に挿通することにより前記被覆部を前記スイッチの本体に固定させるようにすることができる。
【００２６】
前記スイッチには、前記スイッチの本体の底面部に設けられ前記被覆部（例えば、図１１乃至図１３の被覆カバー２３１）を挿通し、挿通する端部に孔部（例えば、図１１乃至図１３の孔部２１４ａ）を有する挿通部（例えば、図１１乃至１３の挿通部２１４）と、前記被覆部を係合する係合部（例えば、図１１乃至１３の係合部２１５−１，２１５−２）とを設けるようにさせることができ、前記被覆部には、前記係合部に係合する係合爪（例えば、図１１乃至図１３の係合爪２３１ｃ−１，２３１ｃ−２）と、前記挿通部を挿通する孔部（例えば、図１１乃至図１３の孔部２３１ａ）とを設けるようにさせることができ、前記固定部（例えば、図１１乃至図１３の固定部２４２）には、前記挿通部の孔部よりも細いベルト状のものとすることができ、前記被覆部の孔部に挿通され、貫通している前記挿通部の孔部に挿通することにより前記被覆部を前記スイッチの本体に固定させるようにすることができる。
【００２７】
前記固定部（例えば、図１乃至５の固定部４２、図６乃至１０の固定部１４２、または図１１乃至図１３の固定部２４２）には、環状に固定されることにより、自らを不可逆な状態に切断しない限り、前記被覆部が前記スイッチの本体に固定された状態から開放できないように前記被覆部を前記スイッチの本体に固定させるようにすることができる。
【００２８】
以下、本発明を適用した具体的な実施の形態について、図面を参照しながら詳細に説明する。
【００２９】
図１乃至図５は、本発明の一実施の形態である不正防止機能を備えたスイッチ装置として機能するレバースイッチを示している。図１は、レバースイッチ１の外観斜視図であり、図２は、レバースイッチ１のその他の外観斜視図を示している。図３は、レバースイッチ１の分解斜視図であり、図４は、レバースイッチ１のその他の分解斜視図である。図５の上部は、レバースイッチ１の側面図であり、図５の下部は、図５の上部における一点鎖線で示されるレバースイッチ１の側面断面図である。
【００３０】
通常、レバースイッチ１は、操作部１１が遊技台の正面に対して飛び出した状態で本体１２が遊技台に埋め込まれ、図示せぬ遊技台の固定部に対して固定台１３の４個の孔部により４点で図示せぬネジによりネジ止めされている。
【００３１】
そして、レバースイッチ１は、図示せぬメダルが装填されて、遊技が開始される場合、操作部１１が、図５で示される矢印ＡもしくはＢ方向、または、図５の紙面に対して手前方向もしくは奥側の方向を含む図中の一点鎖線で示される操作部１１の中心に対して３６０度のいずれかの方向に対して操作されるとき、または、矢印Ｃ方向に対して押込まれるとき、操作に応じて検出片１７が動作し（例えば、図５の場合図中の右方向に動作し）、出力部１６が検出片１７の動作を検出すると操作信号を出力して、端子１５よりコネクタ２１およびケーブル２２を介して図示せぬ遊技台の制御回路に送出する。
【００３２】
尚、以降においては、レバースイッチ１の部位を表現するに当たり、操作部１１が設けられている方向の部位をレバースイッチ１の上面部、円筒状の本体１２をレバースイッチ１の側面部、上面部に対して裏側の平面部をレバースイッチ１の底面部と称するものとする。
【００３３】
レバースイッチ１は、側面部にコネクタ２１を挿抜可能な端子１５を備えている。また、レバースイッチ１は、端子１５に対して側面部裏側の底面部に孔部１４ａを有する固定用凸部１４を備えている。さらに、レバースイッチ１には、コネクタ２１が端子１５に挿入された状態で、抜き出しを不能にするための被覆カバー３１が設けられている。
【００３４】
被覆カバー３１は、Ｌ字型の樹脂製の板状のものであって、板状の中央部分が刳り貫かれており、本体１２の端子１５と対向する範囲、および底面部に対向する位置であって、Ｌ字の折り返し部分に近い範囲については、大開口部３１ｃが、被覆カバー３１の本体１２の底面部に対向する位置であってＬ字の端部に設けられた挿通部３１ａを含む、その近い範囲においては小開口部３１ｂがそれぞれ構成されている。
【００３５】
大開口部３１ｃは、その幅が、方形状のコネクタ２１を第１の方向に対しては挿通可能であるが、第２の方向に対しては挿通不能とされている。すなわち、例えば、図４で示されるように、コネクタ２１は、挿入方向に対して垂直の断面形状が、長辺Ｌと短辺Ｓとからなる長方形となる。大開口部３１ｃは、幅が短辺Ｓと略同サイズとなっているため、コネクタ２１は、挿通方向を軸として端子１５に対して垂直方向に回転している状態であれば、大開口部３１ｃを挿通可能であるが、挿通方向を軸として端子１５に対応した方向の状態では挿通することができない。
【００３６】
また、被覆カバー３１には、本体１２の側面部の端子１５と対向する面の端部に、固定台１３と対応する形状の凹部３１ｄ−１，３１ｄ−２が設けられている。さらに、被覆カバー３１には、本体１２の底面部に設けられた固定用凸部１４の孔部１４ａと略同形の挿通部３１ａが設けられている。また、被覆カバー３１には、図５の下部の拡大図で示されるように、端子１５と対向する位置に、コネクタ２１と対応する形状の窪み３１ｅが設けられている。さらに、凹部３１ｄ−１，３１ｄ−２および挿通部３１ａは、それぞれ固定台１３および固定用凸部１４の孔部１４ａの位置関係と対応するように設けられている。
【００３７】
このため被覆カバー３１は、挿通部３１ａを孔部１４ａに挿通させると、同時に固定台１３が凹部３１ｄ−１，３１ｄ−２に嵌め込み、さらに、大開口部３１ｃよりケーブル２２が引き出されたままの状態で、端子１５に挿入されているコネクタ２１が、窪み３１ｅに被覆された状態となる。
【００３８】
挿通部３１ａが、孔部１４ａに挿通すると、孔部１４ａを通過した部分（貫通している部位）、小開口部３１ｂ、および固定用凸部１４により、孔部１４ａを貫通した小開口部３１ｂが、挿通孔を形成する。この挿通孔と略同径の（または挿通孔よりも細い）ベルト状の固定部４２の一方の端部は、小開口部３１ｂを挿通させ、さらに、固定部４２の他方の端部に設けられている留め具４３に挿通させて固定する。留め具４３は、図中で示される一方向から固定部４２を挿通させることはできても、他方向に挿通することができない構造となっているため、固定部４２は、一方の端部が一度留め具４３に挿通されると、環状構造を形成したままの状態で固定される。また、留め具４３には、IDタグ４１が設けられており、固定部４２は、個別に識別することができる。
【００３９】
IDタグ４１は、いわゆるRFID（Radio Frequency Identifier）タグであり、磁気式または電波式などの通信機能と、固定部４２を個別に識別するための固有の情報が記録されたIC（Integrated Circuit）とから構成されており、図示せぬ読取装置により磁気または電波によりIDタグ４１に格納されているICに記録されている情報を読み出すことが可能である。従って、予め使用されるIDタグ４１に記録されている固有の情報を対応付けて使用することにより、レバースイッチ１毎に（または遊技台毎に）使用されているIDタグ４１を管理することができる。
【００４０】
このため、固定部４２の一方の端部が留め具４３に挿通されて固定されると、被覆カバー３１の挿通部３１ａは、固定用凸部１４の孔部１４ａから抜くことができない状態となる。さらに、この場合、固定台１３は、凹部３１ｄ−１，３１ｄ−２に嵌り込んでいるので、被覆カバー３１は、レバースイッチ１の本体１２に対して固定された状態となる。また、このとき、コネクタ２１は、窪み３１ｅに抱え込まれた状態で被覆カバー３１により被覆されるため、端子１５より抜き出すことができない状態となる。
【００４１】
このような構成により、固定部４２が、孔部１４ａを通過した小開口部３１ｂからなる挿通孔に挿通された状態で留め具４３により環状構造を形成したままの状態で固定されると、被覆カバー３１がコネクタ２１を被覆することになる。この状態で、コネクタ２１を端子１５から引き抜くには、固定部４２を切断して挿通孔に挿通されている部位を引き抜くと共に、被覆カバー３１の挿通部３１ａを孔部１４ａから引き抜き、固定台１３より凹部３１ｄ−１，３１ｄ−２を引き抜くことで、被覆カバー３１を本体１２より外した上でコネクタ２１を引き抜く必要がある。
【００４２】
ところで、この場合、上述したように固定部４２は、不可逆な状態に切断されることになるので、再び被覆カバー３１をレバースイッチ１の本体１２に装着するには、新たな固定部４２が必要となる。しかしながら、固定部４２の他方の端部には、IDタグ４１が付されているので、IDタグ４１に記憶されている固有の情報を確認すれば、固定部４２が不正なものと取り替えられたか否かを認識することが可能となる。
【００４３】
結果として、被覆カバー３１によりコネクタ２１を被覆するようにしたので、そのままではコネクタ２１を端子１５から引き抜くことができず、不正を防止することが可能となる。また、仮に、固定部４２を切断し、被覆カバー３１を外した上で、コネクタ２１を端子１５から引き抜き不正を行うことができたとしても、同一のIDタグ４１を備えた固定部４２を使用することができず、不正の痕跡を残すことが可能となるので、やはり、不正を抑制することが可能となる。さらに、メンテナンスなどのためコネクタ２１を端子１５より正規に引き抜くことが必要な場合、固定部４２を切断し、IDタグ４１の交換（固定部４２および留め具４３を含めた交換）を正規に行うようにすることで、コネクタ２１を取り外してメンテナンスを行うことが可能となる。
【００４４】
尚、固定用凸部１４は、被覆カバー３１の挿通部３１ａが挿通可能な孔部１４ａを備えて、被覆カバー３１の凹部３１ｄ−１，３１ｄ−２と対応する固定台１３と共に被覆カバー３１をレバースイッチ１に対して固定できればよいものであるので、必ずしも端子１５が設けられている側面部裏側の底面部である必要はなく、レバースイッチ１のその他の部位に設けられていても良いものである。しかしながら、固定用凸部１４が、その他の部位に設けられている場合、被覆カバー３１における挿通部３１ａの位置も、固定用凸部１４に対応する位置に設けられる必要がある。
【００４５】
以上においては、被覆カバー３１をレバースイッチ１に固定するに当たり、レバースイッチ１に固定用凸部１４が存在することが前提となるため、固定用凸部１４が設けられていない従来のレバースイッチに対応することができなかった。しかしながら、被覆カバー３１の構造がレバースイッチに固定するものであれば、その他の構成であってもよいことは言うまでもない。
【００４６】
そこで、次に、図６乃至図１０を参照して、固定用凸部１４が設けられていないレバースイッチに対応した被覆部を備えたスイッチ装置の実施の形態について説明する。
【００４７】
図６は、固定用凸部１４が設けられていないレバースイッチ１０１の外観斜視図であり、図７は、レバースイッチ１０１のその他の外観斜視図を示している。図８は、レバースイッチ１０１の分解斜視図であり、図９は、レバースイッチ１０１のその他の分解斜視図である。図１０の上部は、レバースイッチ１０１の側面図であり、図１０の下部は、図１０の上部における一点鎖線で示されるレバースイッチ１０１の側面断面図である。
【００４８】
通常、レバースイッチ１０１は、レバースイッチ１と同様に操作部１１１が遊技台の正面に対して飛び出した状態で本体１１２が遊技台に埋め込まれ、図示せぬ遊技台の固定部に対して固定台１１３の４個の孔部により４点で図示せぬネジによりネジ止めされている。
【００４９】
そして、レバースイッチ１０１は、図示せぬメダルが装填されて、遊技が開始される場合、操作部１１と同様に操作部１１１が操作されるとき、操作に応じて検出片１１６が動作し（例えば、図１０の場合、図中の左方向に動作し）、出力部１１５が検出片１１６の動作を検出すると操作信号を出力して、端子１１４よりコネクタ１２３、ケーブル１２２、およびコネクタ１２１を介して図示せぬ遊技台の制御回路に送出する。
【００５０】
尚、以降においては、レバースイッチ１０１の部位を表現するに当たり、操作部１１１が設けられている部位を上面部、円筒状の本体１１２を側面部、上面部に対して裏側の平面部を底面部と称するものとする。
【００５１】
レバースイッチ１０１は、コネクタ１２３を挿抜可能な端子１１４を備えている。さらに、レバースイッチ１０１には、コネクタ１２３が端子１１４に挿入された状態で、抜き出しを不能にするための被覆カバー１３１が設けられている。
【００５２】
被覆カバー１３１は、固定台１１３と底面部を抱えるように設けられている樹脂製のものである。被覆カバー１３１には、円筒状のレバースイッチ１０１の本体１１２と略同径のリング状の側面帯部１３１ｈが設けられており、被覆カバー１３１がレバースイッチ１０１に装着される際、上面部方向から操作部１１１および本体１１２が順次挿通され、固定台１１３に当接した状態で固定される。また、図１０の下部の拡大図で示されるように、側面帯部１３１ｈの端子１１４の略同位置上に、端子１１４にコネクタ１２３が挿入された状態におけるコネクタ１２３の形状と対応する形状からなる窪み１３１ｃが設けられており、窪み１３１ｃの略中央部には、コネクタ１２３に接続されているケーブル１２２を挿通するための大開口部１３１ｄが設けられている。
【００５３】
大開口部１３１ｄは、方形状のコネクタ１２３を第１の方向に対しては挿通可能であるが、第２の方向に対しては挿通不能の形状とされている。すなわち、例えば、図８で示されるように、コネクタ１２３は、挿入方向に対して垂直の断面形状が、長辺Ｌと短辺Ｓとからなる長方形となる。大開口部１３１ｄは、幅が短辺Ｓと略同サイズとなっているため、コネクタ１２３は、挿通方向を軸として端子１１４に対して垂直方向に回転している状態であれば、大開口部１３１ｄを挿通可能であるが、挿通方向を軸として端子１１４に対応した方向の状態では挿通することができない。
【００５４】
窪み１３１ｃの側面帯部１３１ｈから底面部方向における略底面部の位置において、被覆カバー１３１には、折り返し部１３１ｅが設けられており、図９で示される矢印方向に底面帯部１３１ｇを折り返すことにより、図６，図７で示されるように、底面帯部１３１ｇがレバースイッチ１０１の底面部を覆う。
【００５５】
一方、側面帯部１３１ｈにおけるリング上の中心位置を挟んだ窪み１３１ｃと対向する位置に挿通部１３１ａが設けられており、さらに、挿通部１３１ａには、略中央部に小開口部１３１ｂが構成されている。また、被覆カバー１３１には、折り返し部１３１ｅが図９の矢印方向に折り返されたとき、挿通部１３１ａと対応する位置となる底面帯部１３１ｇの端部に、挿通部１３１ａと略同形の孔部１３１ｆが設けられている。
【００５６】
挿通部１３１ａが、孔部１３１ｆに挿通すると、孔部１３１ｆを貫通した状態で小開口部１３１ｂが、挿通孔を形成する。ベルト状の固定部１４２の一方の端部は、小開口部１３１ｂの端部に形成された挿通孔を挿通し、さらに、固定部１４２の他方の端部に設けられている留め具１４３に挿通させて固定する。留め具１４３は、一方向から固定部１４２を挿通させることはできても、他方向に挿通することができない構造となっているため、固定部１４２は、一方の端部が一度留め具１４３に挿通されると、環状構造を構成したままの状態で固定される。また、留め具１４３には、IDタグ１４１が設けられており、固定部１４２は、個別に識別することができる。
【００５７】
このため、固定部１４２の一方の端部が留め具１４３に挿通されて固定されると、被覆カバー１３１の挿通部１３１ａは、孔部１３１ｆから引き抜くことができない状態となる。さらに、この場合、底面帯部１３１ｇ、折り返し部１３１ｅ、窪み１３１ｃ、側面帯部１３１ｈ、および挿通部１３１ａが、レバースイッチ１０１の固定台１１３と底面部を囲むように、レバースイッチ１０１の本体１１２に対して固定された状態となる。また、このとき、コネクタ１２３は、窪み１３１ｃに被覆された状態となるため、端子１１４より抜き出すことができない状態となる。
【００５８】
このような構成により、固定部１４２が、孔部１３１ｆを貫通した小開口部１３１ｂからなる挿通孔に挿通された状態で留め具１４３により環状に固定されると、被覆カバー１３１がコネクタ１２３を被覆することになる。この状態で、コネクタ１２３を端子１１４から引き抜くには、固定部１４２を切断し、被覆カバー１３１の挿通部１３１ａを孔部１３１ｆから引き抜き、底面帯部１３１ｇを折り返し部１３１ｅに対して図９の矢印と逆方向に開放し、さらに、側面帯部１３１ｈを本体１１２より抜き取って、被覆カバー１３１を本体１１２より外した上でコネクタ１２３を引き抜く必要がある。
【００５９】
ところで、この場合、上述したように固定部１４２が不可逆に切断されることになるので、再び被覆カバー１３１をレバースイッチ１０１の本体１１２に装着するには、新たな固定部１４２が必要となる。しかしながら、固定部１４２の他方の端部には、IDタグ１４１が付されているので、IDタグ１４１に記憶されている固有の情報を確認すれば、固定部１４２が不正なものと取り替えられたか否かを確認することができる。
【００６０】
結果として、被覆カバー１３１によりコネクタ１２３を被覆するようにしたので、そのままではコネクタ１２３を端子１１４から引き抜くことができず、不正を防止することが可能となる。また、仮に、固定部１４２を切断し、被覆カバー１３１を外した上で、コネクタ１２３を端子１１４から引き抜き不正を行うことができたとしても、同一のIDタグ１４１を備えた固定部１４２を使用することができず、不正の痕跡を残すことが可能となるので、やはり、不正を抑制することが可能となる。さらに、メンテナンスなどのためコネクタ１２３を端子１１４より正規に引き抜くことが必要な場合、固定部１４２を切断し、IDタグ１４１の交換（固定部１４２および留め具１４３を含めた交換）を正規に行うようにすることで、コネクタ１２３を取り外してメンテナンスを行うことが可能となる。また、固定用凸部１４が設けられていない従来型のレバースイッチに対しても被覆カバー１３１を装着することが可能となり、従来型のレバースイッチに対しても不正を防止させるようにすることが可能となる。
【００６１】
以上においては、固定台１３または１１３により遊技台に固定するタイプのレバースイッチの例について説明してきたが、それ以外の構造のタイプであっても良く、例えば、レバースイッチ本体側面部にネジ山を設けて、本体そのものをソケット型にしたタイプであってもよい。この場合、レバースイッチ本体そのものを遊技台に螺合させるため、端子が底面部に設けられることが多い。そこで、被覆カバーは、底面部に挿入されたコネクタの抜き出しを防止する構造とする必要がある。
【００６２】
そこで、次に、図１１乃至図１３を参照して、ソケット型のスイッチ装置として機能するレバースイッチの実施の形態について説明する。
【００６３】
図１１は、ソケット型のレバースイッチ２０１の外観斜視図であり、図１２は、レバースイッチ２０１の分解斜視図である。図１３の上部は、レバースイッチ２０１の側面図であり、図１３の下部は、図１３の上部における一点鎖線で示されるレバースイッチ２０１の側面断面図である。
【００６４】
通常、レバースイッチ２０１は、レバースイッチ１，１０１と同様に操作部２１１が遊技台の正面に対して飛び出した状態で本体２１３が遊技台に埋め込まれ、図示せぬ遊技台の固定部に対してネジ山部２１２により螺合されている。
【００６５】
そして、レバースイッチ２０１は、図示せぬメダルが装填されて、遊技が開始される場合、操作部２１１が操作部１１と同様に操作されるとき、操作に応じて検出片２１８が動作し（例えば、図１３の場合、図中の右方向に動作し）、出力部２１７が検出片２１８の動作を検出すると操作信号を出力して、端子２１６よりコネクタ２２３、ケーブル２２２およびコネクタ２２１を介して図示せぬ遊技台の制御回路に送出する。
【００６６】
尚、以降においては、レバースイッチ２０１の部位を表現するに当たり、操作部２１１が設けられている部位を上面部、円筒状の本体２１３を側面部、上面部裏側であって端子２１６が設けられている平面部分を底面部と称するものとする。
【００６７】
レバースイッチ２０１は、底面部にコネクタ２２３を挿抜可能な端子２１６を備えている。さらに、レバースイッチ２０１には、コネクタ２２３が端子２１６に挿入された状態で、抜き出しを不能にするための被覆カバー２３１が設けられている。
【００６８】
被覆カバー２３１は、底面部を覆い隠すように設けられている樹脂製のプレートである。被覆カバー２３１には、レバースイッチ２０１の底面部に設けられた挿通部２１４を挿通する孔部２３１ａが設けられている。また、被覆カバー２３１には、レバースイッチ２０１の底面部における挿通部２１４と対向する位置に設けられた係合部２１５−１，２１５−２と係合する係合爪２３１ｃ−１，２３１ｃ−２が設けられている。また、被覆カバー２３１には、係合爪２３１ｃ−１，２３１ｃ−２を挟むようにコネクタ２２３に接続されているケーブル２２２の径と略同幅のスリット２３１ｂが設けられている。
【００６９】
また、係合部２１５−１，２１５−２は、それぞれ被覆カバー２３１の厚さと略同幅の凹部から構成されており、係合爪２３１ｃ−１，２３１ｃ−２を図中の矢印方向に嵌め込む。また、係合部２１５−１，２１５−２の凹部は、コネクタ２２３が端子２１６に挿入された状態におけるコネクタ２２３の突出部位に被覆カバー２３１が当接する位置に設けられている。また、レバースイッチ２０１の底面部に設けられた挿通部２１４には、孔部２３１ａよりも大きな断面形状の段部２１４ｂが、係合部２１５−１，２１５−２の凹部が設けられた位置と対応する位置に設けられている。
【００７０】
挿通部２１４の端部には、孔部２１４ａが設けられており、挿通部２１４が、被覆カバー２３１の孔部２３１ａに孔部２１４ａが見えるような状態まで貫通して挿通される。
【００７１】
ベルト状の固定部２４２の一方の端部は、孔部２３１ａに挿通された状態の挿通部２１４の端部の孔部２１４ａを挿通し、さらに、固定部２４２の他方の端部に設けられている留め具２４３に挿通させて固定する。留め具２４３は、一方向から固定部２４２を挿通させることはできても、他方向に挿通することができない構造となっているため、固定部２４２は、一方の端部が一度留め具２４３に挿通されると、環状構造のままの状態で固定される。また、留め具２４３には、IDタグ２４１が設けられており、固定部２４２は、個別に識別することができる。
【００７２】
このため、固定部２４２の一方の端部が留め具２４３に挿通されて固定されると、挿通部２１４は、孔部２３１ａから抜くことができない状態となる。さらに、この場合、係合爪２３１ｃ−１，２３１ｃ−２は、それぞれ係合部２１５−１，２１５−２に嵌め込んでいるため、被覆カバー２３１は、レバースイッチ２０１の本体２１３に対して固定された状態となる。また、このとき、スリット２３１ｂがケーブル２２２のサイズの幅しかなく、コネクタ２２３は、その外形がスリット２３１ｂよりも大きいので、端子２１６より抜き出すことができない状態となる。
【００７３】
このような構成により、固定部２４２が、挿通部２１４の孔部２１４ａに挿通された状態で留め具２４３により環状に固定されると、被覆カバー２３１がコネクタ２２３を被覆することになる。この状態で、コネクタ２２３を端子２１６から引き抜くには、固定部２４２を切断し、挿通部２１４を被覆カバー２３１の孔部２３１ａから引き抜き、被覆カバー２３１を本体２１３より外した上でコネクタ２２３を引き抜く必要がある。
【００７４】
ところで、この場合、上述したように固定部２４２が切断されることになるので、再び被覆カバー２３１をレバースイッチ２０１の本体２１３に装着するには、新たな固定部２４２が必要となる。しかしながら、固定部２４２の他方の端部には、IDタグ２４１が付されているので、IDタグ２４１に記憶されている固有の情報を確認すれば、固定部２４２が不正なものと取り替えられたか否かを確認することができる。
【００７５】
結果として、被覆カバー２３１によりコネクタ２２３を被覆するようにしたので、そのままではコネクタ２２３を端子２１６から引き抜くことができず、不正を防止することが可能となる。また、仮に、固定部２４２を切断し、被覆カバー２３１を外した上で、コネクタ２２３を端子２１６から引き抜き不正を行うことができたとしても、同一のIDタグ２４１を備えた固定部２４２を使用することができず、不正の痕跡を残すことが可能となるので、やはり、不正を抑制することが可能となる。さらに、メンテナンスなどのためコネクタ２２３を端子２１６より正規に引き抜くことが必要な場合、固定部２４２を切断し、IDタグ２４１の交換（固定部２４２および留め具２４３を含めた交換）を正規に行うようにすることで、コネクタ２２３を取り外してメンテナンスを行うことが可能となる。
【００７６】
以上のことから、本発明によれば、レバースイッチの操作信号を出力するコネクタを被覆カバー等で被覆することによりレバースイッチの不正を防止することが可能となる。また、仮にコネクタを被覆する被覆カバー等が破壊されることにより不正がなされても、被覆カバーを固定する固定部がIDタグにより管理されることにより不正の痕跡が残されることになるので、不正を確実に把握することが可能となるため、結果として、不正を抑止することが可能となる。さらに、メンテナンスなどの必要があるような場合、被覆カバーを固定する固定部のIDタグが交換されたことを管理することにより、必要に応じてコネクタを外すことが可能となるので、正規に管理された状態でメンテナンスを行うことが可能となる。
【図面の簡単な説明】
【００７７】
【図１】本発明の適用したスイッチ装置の外観斜視図である。
【図２】図１のスイッチ装置のその他の外観斜視図である。
【図３】図１のスイッチ装置の分解斜視図である。
【図４】図１のスイッチ装置のその他の分解斜視図である。
【図５】図１のスイッチ装置の側面図および側面断面図である。
【図６】本発明の適用したその他のスイッチ装置の外観斜視図である。
【図７】図６のスイッチ装置のその他の外観斜視図である。
【図８】図６のスイッチ装置の分解斜視図である。
【図９】図６のスイッチ装置のその他の分解斜視図である。
【図１０】図６のスイッチ装置の側面図および側面断面図である。
【図１１】本発明の適用したさらにその他のスイッチ装置の外観斜視図である。
【図１２】図１１のスイッチ装置の分解斜視図である。
【図１３】図１１のスイッチ装置の側面図および側面断面図である。
【符号の説明】
【００７８】
１  レバースイッチ
１１  操作部
１２  本体
１３  固定台
１４  固定用凸部
１５  端子
１６  出力部
１７  検出片
２１  コネクタ
２２  ケーブル
３１  被覆カバー
４１  IDタグ
４２  固定部
４３  留め具
１０１  レバースイッチ
１１１  操作部
１１２  本体
１１３  固定台
１１４  端子
１１５  出力部
１１６  検出片
１２１  コネクタ
１２２  ケーブル
１２３  コネクタ
１３１  被覆カバー
１４１  IDタグ
１４２  固定部
１４３  留め具
２０１  レバースイッチ
２１１  操作部
２１２  ネジ山部
２１３  本体
２１４  挿通部
２１５−１，２１５−２  係合部
２１６  端子
２１７  出力部
２１８  検出片
２２１  コネクタ
２２２  ケーブル
２２３  コネクタ
２３１  被覆カバー
２４１  IDタグ
２４２  固定部
２４３  留め具
【図１】
2008246096.tif 000003
【図２】
2008246096.tif 000004
【図３】
2008246096.tif 000005
【図４】
2008246096.tif 000006
【図５】
2008246096.tif 000007
【図６】
2008246096.tif 000008
【図７】
2008246096.tif 000009
【図８】
2008246096.tif 000010
【図９】
2008246096.tif 000011
【図１０】
2008246096.tif 000012
【図１１】
2008246096.tif 000013
【図１２】
2008246096.tif 000014
【図１３】
2008246096.tif 000015